(57)【要約】【課題】大引や根太などの床下地材やフロアボードなどを支持する床材支持装置や仮設用サポート、或いは突っ張り棒などの、操作性に優れた突っ張り装置を提供する。【解決手段】基台部に設けられた貫通ネジ孔に螺嵌する螺軸(2)の先端に押し付け部材(3)が取り付けられた突っ張り装置において、螺軸２の先端には、回転操作用角軸部１５、螺軸２の軸心と同心状に突出する球面部１６ａを備えた台座部１６、及び球面部１６ａの頂部から突出するカシメ用突出軸部１７が一体に形成され、押し付け部材３には、被支持用凹窪部１８の底板部中央に、台座部１６の球面部１６ａに当接して当該球面部１６ａの中心の周りに相対揺動運動自在な球面状凹部１９が形成され、この球面状凹部１９の中央に設けられた貫通孔２０に挿通させたカシメ用突出軸部１７の先端に抜け止め用カシメ部１７ａを形成した構成。【選択図】図４
2018138716.tif 000002
【特許請求の範囲】
【請求項１】
基台部に設けられた貫通ネジ孔に螺嵌する螺軸の先端に押し付け部材が取り付けられた突っ張り装置において、前記螺軸の先端には、この螺軸の回転操作用角軸部、この回転操作用角軸部の外側に前記螺軸の軸心と同心状に突出する球面部を備えた台座部、及びこの台座部の球面部の頂部から前記螺軸の軸心と同心状に突出するカシメ用突出軸部が一体に形成され、前記押し付け部材には、前記螺軸のある側に突出する被支持用凹窪部が設けられ、この被支持用凹窪部の底板部中央に、前記台座部の球面部に当接して当該球面部の中心の周りに相対揺動運動自在な球面状凹部が形成され、この球面状凹部の中央には、前記カシメ用突出軸部の外径よりも大径の貫通孔が形成され、この貫通孔に挿通させた前記カシメ用突出軸部の先端に、前記被支持用凹窪部内から前記押し付け部材の外側へ突出しない抜け止め用カシメ部を形成して成る、突っ張り装置における押し付け部材支持構造。
【請求項２】
前記カシメ用突出軸部が円筒形である、請求項１に記載の突っ張り装置における押し付け部材支持構造。
【発明の詳細な説明】
【技術分野】
【０００１】
本発明は、大引や根太などの床下地材やフロアボードなどを支持する、床束と称される床材支持装置や、建設現場などで使用されるコンクリート型枠などの支持に使用される仮設用サポート、垂直向きや水平向きに使用される突っ張り棒などの突っ張り装置における押し付け部材の取付け構造に関するものである。
【背景技術】
【０００２】
突っ張り装置の一例として、例えば特許文献１に記載されるように、スラブや束石などの支持面上に設置される基台部、この基台部上端の貫通ネジ孔に螺嵌される螺軸、及びこの螺軸の上端に設けられた押し付け部材から成る床材支持装置が知られている。
【先行技術文献】
【特許文献】
【０００３】
【特許文献１】特開２００３−１２０００２号公報
【発明の概要】
【発明が解決しようとする課題】
【０００４】
上記特許文献１に記載されるような従来の床材支持装置では、基台部が設置される床面と押し付け部材が支持する支持対象物の被支持面とが平行であることを前提に構成されたものあり、しかも螺軸の上端に押し付け部材が固着されている。従って、床面と支持対象物の被支持面とが平行でない場合、安定良く支持させることが出来ないばかりか、押し付け部材を変形させてしまう恐れがあるので、繰り返し再使用されるような突っ張り装置、例えば前記仮設用サポートや各種突っ張り棒などには不向きである。更に、基台部に対して押し付け部材の高さを調整するために螺軸を回転操作するとき、押し付け部材も一体に回転するので、押し付け部材で支持対象物を支持させた状態では押し付け部材の高さ調整が困難になる。
【課題を解決するための手段】
【０００５】
本発明は、上記のような従来の問題点を解消することのできる突っ張り装置を提案するものであって、本発明に係る突っ張り装置は、後述する実施例との関係を理解し易くするために、当該実施例の説明において使用した参照符号を括弧付きで付して示すと、基台部(1)に設けられた貫通ネジ孔(11)に螺嵌する螺軸(2)の先端に押し付け部材(3)が取り付けられた突っ張り装置において、前記螺軸(2)の先端には、この螺軸(2)の回転操作用角軸部(15)、この回転操作用角軸部(15)の外側に前記螺軸(2)の軸心と同心状に突出する球面部(16a)を備えた台座部(16)、及びこの台座部(16)の球面部(16a)の頂部から前記螺軸(2)の軸心と同心状に突出するカシメ用突出軸部(17)が一体に形成され、前記押し付け部材(3)には、前記螺軸(2)のある側に突出する被支持用凹窪部(18)が設けられ、この被支持用凹窪部(18)の底板部(18a)中央に、前記台座部(16)の球面部(16a)に当接して当該球面部(16a)の中心の周りに相対揺動運動自在な球面状凹部(19)が形成され、この球面状凹部(19)の中央には、前記カシメ用突出軸部(17)の外径よりも大径の貫通孔(20)が形成され、この貫通孔(20)に挿通させた前記カシメ用突出軸部(17)の先端に、前記被支持用凹窪部(18)内から前記押し付け部材(3)の外側へ突出しない抜け止め用カシメ部(17a)を形成した構成になっている。
【発明の効果】
【０００６】
上記本発明の構成によれば、螺軸側の台座部に支持される押し付け部材の球面状凹部は、当該球面状凹部の中央の貫通孔とこの貫通孔を貫通している螺軸側のカシメ用突出軸部との間の当該螺軸の軸心の周りの相対回転と、螺軸側の台座部における球面部の中心の周りの３６０度任意の方向への首振り揺動運動が可能である。従って、押し付け部材が支持対象物を支持している状況でも螺軸を、押し付け部材の直下に位置する前記回転操作用角軸部を利用して回転操作し、押し付け部材に対して螺軸を回転させて、当該押し付け部材の高さの調整が無理なく容易に行える。又、仮に基台部が設置される床面と押し付け部材が支持する支持対象物の被支持面とが相対的に傾斜している場合でも、押し付け部材を支持対象物の被支持面に確実に面接触させて安定良く支持対象物を支持出来るだけでなく、この状況においても螺軸を回転操作して押し付け部材の高さを調整することも比較的容易に行える。勿論、支持対象物の被支持面の傾きによって押し付け部材が変形することも免れるので、仮設用サポートや突っ張り棒のような繰り返し再使用される突っ張り装置であっても、問題なく再使用出来るのである。
【０００７】
しかも上記本発明の構成によれば、回転操作用角軸部、この回転操作用角軸部の外側に前記螺軸の軸心と同心状に突出する球面部を備えた台座部、及びこの台座部の球面部の頂部から前記螺軸の軸心と同心状に突出するカシメ用突出軸部が螺軸に一体に形成されるので、基台部を除くと螺軸と押し付け部材の２部品で構成することが出来、構造が簡単で非常に安価に実施することが出来る。
【０００８】
尚、上記本発明を突っ張り棒に適用する場合、前記基台部が突っ張り棒の一端側を構成する棒状部材となる。即ち、基台部の形状や構造は、突っ張り装置の用途に応じて種々異なることになる。又、上記本発明を実施する場合、前記カシメ用突出軸部(17)を円筒形として、前記貫通孔(20)の周囲の球面状凹部(19)に被さる大径のカシメ部(17a)を形成し易くするのが望ましい。
【図面の簡単な説明】
【０００９】
【図１】図１は、本発明を適用して実施した床材支持装置の使用状態を示す斜視図である。
【図２】図２は、同上床材支持装置の組立て前の状態を示す分解斜視図である。
【図３】図３は、同上床材支持装置の一部縦断側面図である。
【図４】図４は、螺軸上端での押し付け部材の支持構造を示す拡大縦断側面図である。
【図５】図５は、仮設用サポートに本発明の構成を採用する場合の一例を示す一部縦断側面図である。
【発明を実施するための形態】
【００１０】
図１〜図３は、本発明を適用した床材支持装置を示すもので、スラブなどの上に設置される基台部１、この基台部１上に昇降自在に取り付けられた垂直向きの螺軸２、及びこの螺軸２の上端に支持された押し付け部材３から構成されている。基台部１は、左右一対の二つ割り部材４ａ，４ｂを合わせて結合することにより構成されたもので、下端の基板部５と当該基板部５から中間高さまでの上窄まりの支柱下半部６、及び支柱下半部６から上端までの開閉自在な二つ割り円筒部７から構成されている。左右一対の二つ割り部材４ａ，４ｂは、互いに重なる張出し板部８ａ，８ｂを両側辺に有するもので、支柱下半部６では、一方の二つ割り部材４ａの張出し板部８ａから連設した舌片部９を、他方の二つ割り部材４ｂの張出し板部８ｂに形成した切欠部１０に嵌合させると共に当該張出し板部８ｂ上に重ねるように折曲して、左右一対の二つ割り部材４ａ，４ｂを一体化している。
【００１１】
基台部１の開閉自在な二つ割り円筒部７の上端部内面には、この二つ割り円筒部７を形成している左右一対の二つ割り部材４ａ，４ｂを閉じて円筒体を形成させたときに、前記螺軸２が螺嵌する上下方向の貫通ネジ孔１１を形成する雌ネジ溝１１ａが加工されている。この二つ割り円筒部７を形成している左右一対の二つ割り部材４ａ，４ｂは、それ自体の弾性により上端が互いに離間した開き状態となるものであるが、この二つ割り円筒部７を弾性に抗して閉動させるためのカムレバー１２が併設されている。このカムレバー１２は、一方の二つ割り部材４ａの張出し板部８ａの上端部から連設した軸受け板部１３間に水平支軸１４によって上下動自在に軸支された、コの字形断面形状のものであって、カムレバー１２を真横に起こした水平姿勢にあるときは、貫通ネジ孔１１が二つ割り状態に拡がって、螺軸２を自由に昇降移動させることが出来る。カムレバー１２を真下に倒した倒伏姿勢では、当該カムレバー１２の左右両側板１２ａのカム辺部１２ｂが、一方の二つ割り部材４ａの張出し板部８ａとの間で他方の二つ割り部材４ｂの張出し板部８ｂを挟み付けて、螺軸２に対し雌ネジ溝１１ａを圧接させ、螺軸２をロックすることが出来る。又、カムレバー１２の姿勢を、前記水平姿勢と倒伏姿勢との間の中間で安定する中間安定姿勢に切り換えることにより、螺軸２に対し雌ネジ溝１１ａを圧接させないで隣接させて、螺軸２の回転により貫通ネジ孔１１に対し螺軸２を昇降移動させ、押し付け部材３の高さを変更することが出来る。
【００１２】
前記螺軸２の上端に対する押し付け部材３の支持構造について説明すると、図２及び図４に示すように、螺軸２の先端には、この螺軸２の回転操作用角軸部（一般的な六角軸部を図示しているが、回転操作用工具を使用出来る角軸部であれば、六角軸部に限定されない）１５、この回転操作用角軸部１５の外側に前記螺軸２の軸心と同心状に突出する球面部１６ａを備えた台座部１６、及びこの台座部１６の球面部１６ａの頂部から前記螺軸２の軸心と同心状に突出するカシメ用突出軸部１７が一体に形成されている。このカシメ用突出軸部１７としては図示の円筒形のものが望ましい。
【００１３】
前記押し付け部材３は、適当板厚の金属板からプレス加工で一体成形されたものであって、前記螺軸２のある側に突出する、下窄まりの縦断面倒立台形状の被支持用凹窪部１８が設けられ、この被支持用凹窪部１８の底板部１８ａの中央に、前記台座部１６の球面部１６ａに当接して当該球面部１６ａの中心の周りに相対揺動運動自在な球面状凹部１９が、被支持用凹窪部１８内に向かって突出するように形成され、この球面状凹部１９の中央には、前記カシメ用突出軸部１７の外径よりも十分に大径の貫通孔２０が形成され、この貫通孔２０に下から上向きに挿通させた前記カシメ用突出軸部１７の先端に、前記被支持用凹窪部１８内から前記押し付け部材３の外側へ突出しない抜け止め用カシメ部１７ａを形成して、螺軸２と押し付け部材３とを一体化している。
【００１４】
上記構成によれば、螺軸２に対して押し付け部材３を、螺軸２の軸心の周りに相対回転し得ることは勿論のこと、球面状凹部１９の中央の貫通孔２０とこれを貫通しているカシメ用突出軸部１７との間の環状の遊び空間の範囲内で、台座部１６の球面部１６ａの中心の周りで押し付け部材３を３６０度任意の方向に首振り揺動運動を行わせることが出来る。
【００１５】
以上のように構成された床材支持装置は、図１に示すように大引や根太などの床下地材２１の真下の床面上に基台部１を設置し、カムレバー１２を水平姿勢にした状態で螺軸２を昇降移動させて押し付け部材３を床下地材２１の下側面に隣接させる。この状態でカムレバー１２を中間安定姿勢に切り換え、回転操作用角軸部１５を挟む回転操作用工具により螺軸２を上昇する方向に回転させて、押し付け部材３の上面を床下地材２１の下側面に圧接させる。この結果、床下地材２１が床材支持装置によって所定位置に所定高さで支持されることになるが、この床材支持装置が設置される床面と押し付け部材３が支持する床下地材２１の下側面とが完全に平行でなくとも、螺軸２に対して押し付け部材３が前記のように３６０度任意の方向に首振り運動自在であるから、当該押し付け部材３は、床下地材２１の下側面に面接触する姿勢に自然に変化するので、床下地材２１を安定良く支持させることが出来る。
【００１６】
尚、上記実施例の床材支持装置における基台部１の構造は、上記実施例に示した構造に限定されない。例えば基台部１が基板の上にパイプ材を垂直に固着したものであって、このパイプ材の上端部内側が貫通ネジ孔に加工され、この貫通ネジ孔に螺軸２が螺嵌する構成のものであっても良い。この場合は、必要に応じてロックナットを併用することが出来る。又、床材支持装置に限らず、例えば仮設用サポートにも本発明を適用することが出来る。
【００１７】
具体例を示すと、図５に示すように、仮設用サポート本体２２の上端に、前記実施例のように上端に押し付け部材３が取り付けられた螺軸２を連結して、仮設用サポートを構成することが出来る。仮設用サポート本体２２としては種々の構造のものが考えられるが、図５に示す実施例では、接地用基板２３の上に垂直に固着立設された主パイプ材２４、この主パイプ材２４の上端側から昇降自在に差し込まれた副パイプ材２５、及び副パイプ材２５に長さ方向適当間隔おきに設けられた直径方向の貫通孔２５ａの一つと主パイプ材２４の上端近くに設けられた直径方向の貫通孔２４ａとにわたって挿通されるロックピン２６から成る、全長を複数段階に変更自在に構成された仮設用サポート本体２２が使用され、前記副パイプ材２４の上端に嵌合固定されたキャップ部材２７に副パイプ材２４と同心状に貫通ネジ孔２８を設け、この貫通ネジ孔２８に螺軸２を螺嵌している。キャップ部材２７は、副パイプ材２４の上端に載置される基板２７ａ、この基板２７ａの下側に固着されて副パイプ材２４内に嵌入される筒状体２７ｂ、及び基板２７ａの上側に前記筒状体２７ｂと同心状に固着されたナット２７ｃから構成され、このナット２７ｃの貫通ネジ孔が、螺軸２が螺嵌する貫通ネジ孔２８となっている。
【００１８】
尚、螺軸２を回転操作したときにキャップ部材２７が共回りしないように、キャップ部材２７は副パイプ材２４に固定しておく必要があるが、その手段は、筒状体２７ｂを副パイプ材２４の上端内側に圧入固定するものであっても良いし、副パイプ材２４の上端部側面に半径方向に形成した貫通ネジ孔に螺入される固定用ねじにより筒状体２７ｂを副パイプ材２４に固定するものであっても良い。勿論、螺軸２と押し付け部材３を備えた専用の仮設用サポートとして実施するならば、例えば前記ナット２７ｃを備えた基板２７ａを副パイプ材２４の上端に溶接により固着しても良い。この場合、筒状体２７ｂは有っても無くても良い。
【産業上の利用可能性】
【００１９】
本発明の突っ張り装置は、大引や根太などの床下地材やフロアボードなどを支持する床材支持装置や仮設用サポート、或いは突っ張り棒などの、操作性に優れた突っ張り装置として活用出来る。
【符号の説明】
【００２０】
１    基台部
２    螺軸
３    押し付け部材
１１    貫通ネジ孔
１１ａ    雌ネジ溝
１２    カムレバー
１５    回転操作用角軸部
１６    台座部
１６ａ    球面部
１７    カシメ用突出軸部
１７ａ    抜け止め用カシメ部
１８    被支持用凹窪部
１８ａ    底板部
１９    球面状凹部
２０    貫通孔
２１    床下地材
２２    仮設用サポート本体
２３    接地用基板
２４    主パイプ材
２５    副パイプ材
２６    ロックピン
２７    キャップ部材
２７ａ    基板
２７ｂ    筒状体
２７ｃ    ナット
２８    貫通ネジ孔
【図１】
2018138716.tif 000003
【図２】
2018138716.tif 000004
【図３】
2018138716.tif 000005
【図４】
2018138716.tif 000006
【図５】
2018138716.tif 000007